(57)【要約】      （修正有）【課題】反転投入機で作業者が容器固定ハンドルによる挟持の操作をすることを忘れても、容器がクランプ枠から落下しないクランプ安全反転装置を提供する。【解決手段】クランプ安全反転装置２００は、取手とブロック及び取手とブロックの結合部からなる一対の容器固定ハンドル１と、結合部の上面に頭部が固定され、かつ結合部を下方に付勢した状態で容器固定ハンドル１をクランプ枠３に回動可能に係止する一対の係止具と、結合部に挿設された一対の、圧縮ばねによる回転ロック機構と、上面の外縁に凹設された溝部２１を有し、クランプ枠の容器固定ハンドルの係止部に開けられた孔に嵌入され、クランプ枠に接合された一対の回動軸受２０とを含むクランプ装置に、更に、係止具の下部に突設された一対の第一のストッパープレート８とクランプ枠側に延出するように反転保持枠に突設された一対の第二のストッパープレート９とを、備える。【選択図】図４
0003216072.tif 000002
【実用新案登録請求の範囲】
【請求項１】
取手とブロック及び取手とブロックの結合部からなる一対の容器固定ハンドルと、当該結合部の上面に頭部が固定され、かつ当該結合部を下方に付勢した状態で当該容器固定ハンドルをクランプ枠に回動可能に係止する一対の係止具と、当該結合部に挿設された一対の圧縮ばねによる回転ロック機構と、上面の外縁に凹設された溝部を有し、クランプ枠の容器固定ハンドルの係止部に開けられた孔に嵌入され、クランプ枠に接合された一対の回動軸受を含むクランプ装置に、更に、
当該係止具の下部に突設された一対の第一のストッパープレートと
当該容器固定ハンドルに近接する位置でクランプ枠側に延出するように反転保持枠に突設された一対の第二のストッパープレートとを、備え、
当該第一のストッパープレートが、当該ブロックが容器の鍔部を挟持しない位置にあるときは当該第二のストッパープレートの下側で当該第二のストッパープレートと干渉し、当該ブロックが容器の鍔部を挟持する位置にあるときは当該第二のストッパープレートと干渉しないことを特徴とするクランプ安全反転装置。
【請求項２】
前記係止具が頭部で溶接により前記結合部の上面と固定されていることを特徴とする請求項１に記載のクランプ安全反転装置。
【請求項３】
前記係止具は、
前記容器固定ハンドルの回動軸となる六角ボルトと、
キャッスルナットと、
当該キャッスルナットの下面に当接し、当該六角ボルトの軸に止着された割ピンと、
前記回動軸受とキャッスルナットとの間で当該六角ボルトの軸の外周に捲着された固定ハンドル用スプリングと、
当該固定ハンドル用スプリングの上下の二箇所で当該六角ボルトの軸に挿嵌された二つの平ワッシャーと、
前記第一のストッパープレートを当該六角ボルトの軸の下端で当該軸と直角方向に止着するストッパープレート用ボルトとを、
含むことを特徴とする請求項１又は請求項２に記載のクランプ安全反転装置。
【請求項４】
請求項１乃至３のいずれか一つの項に記載のクランプ安全反転装置を備える反転投入機。
【請求項５】
請求項４に記載の反転投入機を有するリフター。
【考案の詳細な説明】
【技術分野】
【０００１】
本考案は、食品、医薬品、化学品、金属製品等の生産で用いられる液体又は粉粒体状やペースト状の固体の原料等を取り扱う際に使用される反転投入機において、当該原料等を入れる鍋やボール等の容器を反転して原料等を充填機に反転投入する際、容器を傾動したときに当該反転投入機から容器が落下することを防止するクランプ安全反転装置及び当該クランプ安全反転装置を備える反転投入機とリフターに関する。
【背景技術】
【０００２】
図１（Ａ）アに従来の反転投入機の構造例を示す。従来の反転投入機は、常時水平状態にある略コ字状の反転保持枠２、当該反転保持枠２の前方に延出した一対の支持腕２０１の先端近くの内側に取り付けられた一対の支軸に回動自在に軸着した一対の腕部３０１を有する略コ字状のクランプ枠３、当該一対の支軸を支点としてクランプ枠３を傾動する反転ハンドル４とウォーム減速機５からなる反転駆動機構、大型ボール等の容器７をクランプ枠３に固定する一対の容器固定ハンドル１を有する一対のクランプ装置１００及び当該容器７の全周に周設されたフランジ７１の一部に突設された左右一対の鍔部７２をクランプ枠３の腕部３０１に載置する場所の上面に突設され、当該鍔部７２に開けられた孔に挿入される一対の容器支持ピン６からなる。  
【０００３】
前記一対のクランプ装置１００は、前記クランプ枠３の一対の腕部３０１にある前記容器７の鍔部７２が載置されている場所の近傍に取り付けられているが（図１（Ａ）ア参照）、その構造を図２に示す。当該クランプ装置１００を構成する前記容器固定ハンドル１は、ブロック１０２と、ブロック１０２の反対側に位置し、ブロック１０２をクランプ枠３の上で回動させる操作するための取手１０１と、ブロック１０２と取手１０１の結合部分である略円柱状の結合部１０３とからなり、これらが略Ｌ字状に一体に形成された、クランプ枠３の上で回動可能なハンドルである。当該ブロック１０２は、容器７の鍔部７２を上方から押圧し、クランプ枠３の腕部３０１の上面で鍔部７２を挟持する金具である。
【０００４】
図２に示すように前記クランプ装置１００は、前記容器固定ハンドル１と、ハンドル用六角ボルト１０と、回動軸受２０と、ハンドル用六角ボルト１０の下端に係止されたキャッスルナット１３と、キャッスルナット１３の緩みと下降防止用の割ピン１４と、回動軸受２０とキャッスルナット１３の間のハンドル用六角ボルト１０の軸の外周に捲着された固定ハンドル用スプリング１１と、当該固定ハンドル用スプリング１１の上下で当該ハンドル用六角ボルト１０の軸に挿嵌された平ワッシャー１２と、「圧縮ばねによる回転ロック機構」（以下、「ハンドルロックピン」という）」からなる。図２に示すように、ハンドル用六角ボルト１０は、同一の内径を有する結合部１０３と回動軸受２０に貫通するように挿入され、当該内径よりやや小さい外径を有し、容器固定ハンドル１をクランプ枠３（腕部３０１）に回動自在に係止する。回動軸受２０はクランプ枠３の容器固定ハンドル１の係止部に開けられた係止用の孔に嵌入され、クランプ枠３に溶接されてクランプ枠３の一部を形成し、ハンドル用六角ボルト１０をクランプ枠３に係止するため、ハンドル用六角ボルト１０が上下方向に貫通するように挿入されている。ハンドルロックピンは、結合部１０３に挿設されており、ロックピン用スプリング（図２では図示せず。）とロックピン（図２では図示せず。）とロックピンつまみ１９から構成され、容器固定ハンドル１が容器７の鍔部７２を挟持する位置で容器固定ハンドル１の回動を制止（以下、「ロック」又は「ハンドルロック」という）する。図３に前記ハンドルロックピンの構造を示す。図３の示されるように、当該ハンドルロックピンは、ロックピン１８と、ロックピン１８を下方に付勢するロックピン用スプリング１７と、図２にも示されているハンドルロックを解除するためのロックピンつまみ１９からなる。
【０００５】
更に、図２には前記回動軸受２０の上面外縁の一部に凹設されている溝部２１が示されている。当該溝部２１は、容器固定ハンドル１が容器７の鍔部７２を挟持している（以下、「挟持の状態」という）ときにのみ、容器固定ハンドル１の結合部１０３に挿設された前記ハンドルロックピンを構成するロックピン１８の真下に位置するように設けられている（図３（Ｂ）参照）。このため、容器固定ハンドル１が容器７の鍔部７２を挟持していない（以下、「非挟持の状態」という）ときは、ロックピン１８の下端は回動軸受２０の上面に当接した状態で、容器固定ハンドル１と共に回動軸受２０の上で回動するが（図３（Ａ）参照）、挟持の状態のときは、ロックピン１８は、その真上に取り付けられているロックピン用スプリング１７により下方に付勢されているので、ロックピン１８の真下の位置に当該溝部２１が来ると下降し溝部２１に嵌合する（図３（Ｂ）参照）。これにより挟持の状態のときには容器固定ハンドル１の回動がロックされ、容器固定ハンドル１は回動ができない状態になる（図３（Ｂ）参照）。従って、クランプ枠３の傾動時にハンドルの回動がロック状態では容器固定ハンドル１を回動することができないので、挟持の状態を維持することができ、容器落下の危険がない。なお、挟持の状態のときにハンドルロックの状態を解除するには、ロックピンつまみ１９を上方に持ち上げてロックピン１８を溝部２１から外しながら容器固定ハンドル１を回動させることが必要である（図３（Ｂ）、図７（Ｃ）参照）。
【０００６】
前記クランプ装置１００により、前記容器固定ハンドル１は、前記ハンドル用六角ボルト１０を回動軸としてクランプ枠３の上で回動することができ、前記ブロック１０２で容器７の鍔部７２を挟持又は非挟持の状態にすることができる。
【０００７】
従来の反転投入機の通常の反転動作を図１（Ａ）示す。なお、図中の各動作間に描かれた矢印は各反転動作の順序を示す。図１（Ａ）アは、容器７を反転投入機に載置した状態（図中の（容器セット））を示している。容器７は、容器７のフランジ７１に、容器７の周方向に互いに９０°の間隔で突設された４個の鍔部７２を有し、クランプ枠３が水平状態にあるとき、クランプ枠３の一対の腕部３０１の先端近くと、容器７の後方側に位置するクランプ枠３の横材の中央部の３か所で、当該容器７の３個の鍔部がクランプ枠３上に載置されることで、当該容器７はクランプ枠３にほぼ水平に支持される。このとき容器７はクランプ枠３に固定されていないが、容器７の鍔部７２に開いている孔に容器支持ピン６を挿入することで、容器７がクランプ枠３の上でクランプ枠３に沿って移動することを防止することができる。
【０００８】
図１（Ａ）イは、図１（Ａ）アで容器７を載置したのち、容器７をクランプ枠３に固定する動作を示す。即ち、一対の容器固定ハンドル１を操作して一対の取手１０１を図１（Ａ）イ中に描かれた矢印の方向に回動し、一対のブロック１０２を左右一対の鍔部７２上に移動させると、容器固定ハンドル１の係止用のハンドル用六角ボルト１０に捲着されている固定ハンドル用スプリング１１によりハンドル用六角ボルト１０が下方に付勢されているため、ハンドル用六角ボルト１０の頭部が容器固定ハンドル１の結合部１０３の上面を下方に押圧し、これと一体に形成されている容器固定ハンドル１のブロック１０２の下面が容器７の鍔部７２の上面を押圧することになる。その結果、容器７の鍔部７２はクランプ枠３に挟持され、当該容器７をクランプ枠３に固定することができ、併せて前記ハンドルロックピンにより容器固定ハンドル１が回動不可となり、挟持の状態を維持することができる。
【０００９】
図１（Ａ）ウは、反転ハンドル４を図１（Ａ）ウ中に描かれた矢印の方向に回転する操作をしてクランプ枠３を傾動し、図１（Ａ）イでクランプ枠３に固定された容器７を反転する動作を示している。更に図１（Ａ）エは当該反転が完了した状態を示す。容器７が反転したのちも、この挟持の状態の維持により容器７がクランプ枠３から外れ、落下するのを防止することができる。
【００１０】
次に、従来の反転投入機における、作業者が挟持の操作をすることを忘れたときなどに起こる非挟持の状態の反転動作を図１（Ｂ）に示す。図１（Ｂ）アは、図１（Ａ）アと同様の容器７をクランプ枠３に載置した状態（図１（Ａ）アの（容器セット））を示す。このとき非挟持の状態で容器７はクランプ枠３に固定されていない。  
【００１１】
図１（Ｂ）イは、図１（Ｂ）アで容器を載置したのち、容器固定ハンドル１の操作をせずに、非挟持の状態が維持されていることを示す。
【００１２】
図１（Ｂ）ウは、図１（Ｂ）イの作業者が挟持の操作することを忘れたときなどに起こる非挟持の状態で、反転ハンドル４を図１（Ｂ）ウ中に描かれた矢印の方向に回転する操作をし、クランプ枠３を傾動して容器７を反転する動作を示している。図１（Ｂ）ウに示すように従来の反転投入機では、非挟持の状態でも反転ハンドル４を操作してクランプ枠３を傾動して容器７を反転することができる。図１（Ｂ）エは、図１（Ｂ）ウの反転動作の結果、非挟持の状態であるため、容器７が反転投入機から落下することを示している。
【００１３】
以上より、従来の反転投入機では、容器固定ハンドル１を操作して、容器７をクランプ枠３に固定すれば、図１（Ａ）エに示すように反転ハンドル操作してクランプ枠３を傾動し容器７を反転しても容器７は落下しない。
【００１４】
しかしながら、従来の反転投入機では、容器７の落下防止のため、クランプ枠３を傾動し容器７を反転するたびに、作業者が一対の容器固定ハンドル１を操作して容器７をクランプ枠３に固定する必要があるが、図１（Ｂ）ウに示すように、容器７をクランプ枠３に固定しなくても、即ち鍔部７２を容器固定ハンドル１のブロック１０２が挟持していなくてもクランプ枠３を傾動でき容器７を反転することが可能であるため、作業者が挟持の操作をすることを忘れるなどにより、非挟持の状態で誤って反転ハンドル４を操作してクランプ枠３を傾動し、容器７を反転したときに容器７がクランプ枠３からの落下する事故が起きて（図１（Ｂ）エ参照）、危険であるという問題があった。
【考案の概要】
【考案が解決しようとする課題】
【００１５】
本考案は、上記実情を鑑みてなされたもので、反転投入機で作業者が容器固定ハンドルによる挟持の操作をすることを忘れても、容器がクランプ枠から外れ、落下することなく、安全に作業ができるクランプ安全反転装置、当該クランプ安全反転装置を備える反転投入機及び当該反転投入機を有するリフターの提供をその課題とするものである。
【課題を解決するための手段】
【００１６】
本考案に係るクランプ安全反転装置は、容器がクランプ枠に挟持されているときのみクランプ枠を反転することができ、非挟持の状態ではクランプ枠を反転することができないクランプ機構を有する。
【００１７】
即ち、本考案に係るクランプ安全反転装置は、取手とブロック及び取手とブロックの結合部からなる一対の容器固定ハンドルと、当該結合部の上面に頭部が固定され、かつ当該結合部を下方に付勢した状態で当該容器固定ハンドルをクランプ枠に回動可能に係止する一対の係止具と、当該結合部に挿設された一対の圧縮ばねによる回転ロック機構と、上面の外縁に凹設された溝部を有し、クランプ枠の容器固定ハンドルの係止部に開けられた孔に嵌入され、クランプ枠に接合された一対の回動軸受を含むクランプ装置に、更に、当該係止具の下部に突設された一対の第一のストッパープレートと当該容器固定ハンドルに近接する位置でクランプ枠側に延出するように反転保持枠に突設された一対の第二のストッパープレートとを、備え、当該第一のストッパープレートが、当該ブロックが容器の鍔部を挟持しない位置にあるときは当該第二のストッパープレートの下側で当該第二のストッパープレートと干渉し、当該ブロックが容器の鍔部を挟持する位置にあるときは当該第二のストッパープレートと干渉しないことを特徴とする。
【００１８】
〔作用〕
本考案に係るクランプ安全反転装置を備える反転投入機において、当該クランプ安全反転装置を構成する一対の容器固定ハンドルのブロックが一対の容器の鍔部を挟持していない位置にあるときは、係止具の下部で当該係止具に突設されている第一のストッパープレートは反転支持枠に取り付けられている第二のストッパープレートの下側で第二のストッパープレートと干渉し、第一のストッパープレートの上面と第二のストッパープレートの下面とが略当接する。このため、反転ハンドルを操作してクランプ枠を傾動しようとしても、第一のストッパープレートが係止具に介して取り付けられたクランプ枠が、第二のストッパープレートが取り付けられた反転保持枠に干渉されて、クランプ枠を傾動することができない。したがって、クランプ枠をほぼ水平に維持することができ、クランプ枠に載置されている容器もほぼ水平に支持することができる。
【００１９】
一方、当該クランプ安全反転装置を構成する一対の容器固定ハンドルにより、容器の一対の鍔部を挟持しているときは、前記第一のストッパープレートは、反転保持枠に取り付けた第二のストッパープレートと干渉しないので、クランプ枠の反転動作時に第一のストッパープレートは第二のストッパープレートに当接しない。このためクランプ枠は反転保持枠に干渉されないので、反転ハンドルの操作することにより、クランプ枠を傾動することができる。このとき前述の通り当該容器は、鍔部を容器固定ハンドルで挟持されてクランプ枠に固定されているので、クランプ枠から落下することがなく反転することができる。
【考案の効果】
【００２０】
本考案のクランプ反転安全装置を備えた反転投入機での容器の反転操作において、容器の鍔部が当該クランプ反転安全装置の容器固定ハンドルのブロックで挟持されていないときは、第一のストッパープレートが第二のストッパープレートの干渉によりクランプ枠反転操作を止めるため、容器を反転することができず、ほぼ水平状態を保つので、容器がクランプ枠から外れ、落下等の事故は起きない。一方、容器の鍔部が当該クランプ反転安全装置の容器固定ハンドルのブロックで挟持されているときは、第一のストッパープレートは第二のストッパープレートと干渉しないので、クランプ枠に固定された容器を反転することができる。従って、本考案のクランプ反転安全装置を備えた反転投入機では、挟持の状態及び容器固定ハンドルによる挟持の操作をすることを忘れた場合などの非挟持の状態のいずれ場合でも、容器を反転する操作において容器落下の虞がなく安全に作業ができる。
【００２１】
また、本考案のクランプ反転安全装置は、従来の反転投入機で用いられているクランプ装置の簡易な改造を加えるだけで安全な作業ができるという目的が達成できる。
【図面の簡単な説明】
【００２２】
【図１】図１（Ａ）は従来の反転投入機の構造と通常の反転動作を示す図。図１（Ｂ）は従来の反転投入機の非挟持の状態における反転動作を示す図。
【図２】図２は従来の反転投入機のクランプ装置を示す図。
【図３】図３（Ａ）は非挟持の状態における容器固定ハンドルに挿設されたハンドルロックピンを示す図。図３（Ｂ）は挟持の状態におけるハンドルロックピンを示す図。
【図４】図４は本考案に係る実施例１のクランプ安全反転装置を示す図
【図５】図５（Ａ）は実施例２に係る反転投入機の構造と挟持の状態における通常の反転動作を示す図。図５（Ｂ）は当該反転投入機の非挟持の状態における反転動作を示す図。
【図６】図６（Ａ）は図５のクランプ安全反転装置部分を拡大した図で挟持の状態における通常の反転動作を示す図。図６（Ｂ）は図５のクランプ安全反転装置部分を拡大した図で非挟持の状態における反転動作を示す図。
【図７】図７は本考案に係るハンドルロックピンの動作と容器固定ハンドルの可動域の説明をする図。
【図８】図８（Ａ）は実施例３に示すリフターの図であって、当該リフターの上面を示す図。図８（Ｂ）は実施例３のリフターの右側面図。
【考案を実施するための形態】
【００２３】
以下に本考案の好ましい実施態様を示す実施例を挙げ、本考案を更に説明する。
【実施例】
【００２４】
〔実施例１〕
図４に本考案に係る実施例１のクランプ安全反転装置２００を示す。
【００２５】
実施例１のクランプ安全反転装置２００においては、容器固定ハンドル１と、ロックピン用スプリング１７（図４では図示せず）、ロックピン１８（図４では図示せず）とロックピンつまみ１９からなるハンドルロックピン（図３、図７参照）と、回動軸受２０とこれに設けられた溝部２１と、平ワッシャー１２と、固定ハンドル用スプリング１１と、キャッスルナット１３及び割ピン１４は、従来の反転投入機に搭載されるクランプ装置１００（図２参照）におけるものと同一の形状、構造及び機能を有する。
【００２６】
図４に示すように、本考案に係るクランプ安全反転装置２００の係止具は、容器固定ハンドル１の回動軸となるハンドル用六角ボルト１５と、キャッスルナット１３と、当該キャッスルナット１３の下面に当接し、ハンドル用六角ボルト１５の軸に止着された割ピン１４と、前記回動軸受２０とキャッスルナット１３との間で当該六角ボルトの軸の外周に捲着され、ハンドル用六角ボルト１５を下方に付勢する固定ハンドル用スプリング１１と、固定ハンドル用スプリング１１の上下の二箇所で当該六角ボルトの軸に挿嵌された二つの平ワッシャー１２と、前記第一のストッパープレートをハンドル用六角ボルト１５の軸の下端で当該軸と直角方向に止着するストッパープレート用ボルト１６とからなる。
【００２７】
前記係止具を構成するハンドル用六角ボルト１５には、図２に示す従来技術のクランプ装置１００に使用されるハンドル用六角ボルト１０に比べキャッスルナット１３の下方にも軸部が存在し、その軸部の下端でハンドル用六角ボルト１５の軸と直角方向にストッパープレート用ボルト１６により止着し、突設された略平板上の第一のストッパープレート（以下、「ストッパープレートＡ」という）８が取り付けられている。当該ストッパープレートＡ８は、ハンドル用六角ボルト１５に固定された容器固定用ハンドル１が容器７の鍔部７２を挟持していないときに、常に、反転保持枠２の支持腕２０１のクランプ枠３側に当該支持腕２０１の上面とほぼ平行に延出するように突設された第二のストッパープレート（以下、「ストッパープレートＢ」という）９の下側で当該ストッパープレートＢ９と干渉する位置になり、即ちストッパープレートＢ９の下面がストッパープレートＡ８の上面と略当接する位置になり（図６（Ａ）ア、図６（Ｂ）ア参照）、挟持の状態ではストッパープレートＡ８がストッパープレートＢ９の下側でストッパープレートＢ９と干渉しない位置になるようにハンドル用六角ボルト１５に取り付けられている（図６（Ａ）イ&#12316;ウ参照）。
【００２８】
なお、ストッパープレートＡ８の当該ハンドル用六角ボルト１５の軸への固定は、図４で示すように当該ハンドル用六角ボルト１５の下端部で下方よりストッパープレートＡ用ボルト１６で止着する方法を採用しているが、ストッパープレートＡ８とストッパープレートＢ９の位置関係が維持できれば、取り付け位置や方法は限定されない。当該ストッパープレートＡ８を当該ハンドル用六角ボルト１５の軸部と嵌合、溶接等で固定してもよく、また、当該ハンドル用六角ボルト１５の軸の長さを従来技術に係るハンドル用六角ボルト１０と同一にして、キャッスルナット１３の下側に当該ハンドル用六角ボルト１５と同一の回動軸を持つロッドを取り付けその下部に当該ストッパープレートＡ８を取り付けてもよい。
【００２９】
前記ハンドル用六角ボルト１５の頭部と前記容器固定ハンドル１はその結合部１０３で固定されているので、前記取手１０１をクランプ枠３の上で回動する操作することによりブロック１０２と当該ハンドル用六角ボルト１５の下部に取り付けられているストッパープレートＡ８を当該ハンドル用六角ボルト１５の軸を回動軸として連動して回動させることができる（図６（Ａ）イ参照）。ハンドル用六角ボルト１５の頭部と当該結合部１０３の固定は溶接による接合であるが、機械的に嵌合し固定する方法でもよく、容器固定ハンドル１の回動する操作したときに当該ハンドル用六角ボルト１５及びその下部に取り付けられているストッパープレートＡ８が連動して回動できるものであれば固定方法は限定されない。
【００３０】
前記クランプ安全反転装置２００を構成する部品の材料は、本装置を備える反転投入機と同じ材質が望ましく、たとえば、鋼材やステンレス鋼材などの鉄系材料、アルミニウム合金等の非鉄材料、セラミックス等の無機材料、強化プラスチックス等の有機材料などを用いる。材質、材料及びクランプ安全反転装置２００の製作コスト、入手の容易性等から鉄系材料を用いることが望ましい。
【００３１】
〔実施例２〕
図５は、実施例２の反転投入機の構造と反転動作を示す。
【００３２】
前記反転投入機を構成する反転保持枠２、クランプ枠３、反転ハンドル４とウォーム減速機５からなる反転駆動機構は図１に示す従来の反転投入機と同じ構造と機能を有する。
【００３３】
実施例２の反転投入機と従来技術による反転投入機の相違点は、本考案に係る反転投入機がクランプ装置１００（図２参照）に代えて実施例１に示すクランプ安全反転装置２００（図４参照）を適用したことである。
【００３４】
実施例２に示す反転投入機の通常の反転動作を図５（Ａ）示す。なお、図中の各動作間に描かれた矢印は各反転動作の順序を示している。図５（Ａ）アは、容器７を反転投入機に載置した状態（図中の（容器セット））を示す。この状態では、容器７は容器固定ハンドル１によりクランプ枠３に固定されていないが、従来の反転投入機の場合（図１（Ａ）ア参照）と同じく、容器７はクランプ枠３にほぼ水平に支持され、容器支持ピン６によりクランプ枠３の上でのズレも防止されているので、容器７が反転投入機から落下する危険性は極めて少ない。
【００３５】
図５（Ａ）イは、図５（Ａ）アで容器７を載置したのち、容器７をクランプ枠３に固定する動作、即ち一対の容器固定ハンドル１を図５（Ａ）イ中に描かれた矢印の方向に回動しブロック１０２で容器７の鍔部７２を挟持する動作を示す。このとき、容器固定ハンドル１もハンドルロックピンによりロックされるので、ハンドルロックピンを操作しない限り、容器固定ハンドル１を回動することができず、挟持の状態を維持することができる。
【００３６】
図５（Ａ）ウは、反転ハンドル４を操作してクランプ枠３を傾動し、クランプ枠３に固定された容器７を反転する動作を示している。このとき前記クランプ安全反転装置２００を構成する容器固定ハンドル１のブロック１０２で容器７の鍔部７２を挟持している状態であるので、図５（Ａ）ウに示すように、クランプ枠３にハンドル用六角ボルト１５を介して係止されているストッパープレートＡ８が反転支持枠２に係止されているストッパ―プレートＢ９から外れ、ストッパープレートＢ９に干渉されず、クランプ枠３は反転支持枠２に干渉されないので、容器７を載せたクランプ枠３を傾動することができる。更に図５（Ａ）エでは当該反転が完了した状態を示しているが、容器７を反転したのちも、この挟持の状態を維持することにより容器７がクランプ枠３から外れ、落下することを防止することができる。
【００３７】
次に、実施例２の反転投入機において、作業者が容器固定ハンドル１の挟持の操作をすることを忘れたときなどの非挟持の状態の反転動作を図５（Ｂ）に示す。図５（Ｂ）アは、図５（Ａ）アと同様の容器７をクランプ枠３に載置した状態（図中の（容器セット））を示す。このとき非挟持の状態で容器７はクランプ枠３に固定されていない。  
【００３８】
図５（Ｂ）イは、図５（Ｂ）アで容器７をクランプ枠３に載置したのち、容器固定ハンドル１による容器７のクランプ枠３への挟持の操作をすることを忘れるなどで挟持をしていない状態、即ち非挟持の状態が維持されていることを示す。
【００３９】
図５（Ｂ）ウは、図５（Ｂ）イの非挟持の状態で反転ハンドル４を操作しクランプ枠３を傾動し容器７を反転する動作を示す。図５（Ｂ）ウに示すように、本考案に係る反転投入機においては、当該反転投入機に搭載されている前記クランプ安全反転装置２００により、非挟持の状態で反転ハンドル４を操作してクランプ枠３を傾動しようとしてもストッパープレートＡ８がストッパープレートＢ９に略当接し（図５（Ｂ）＜Ａ部拡大図＞参照）、干渉されて、反転動作ができなくなり、クランプ枠３を傾動することができない。従ってクランプ枠３をほぼ水平に維持することができ、容器７をほぼ水平に支持することができ、且つ容器支持ピン６により容器７のクランプ枠３上での移動も防止することができるので、容器７の反転投入機からの落下を防止することができる。
【００４０】
図６は、図５の実施例２の反転投入機の反転動作における前記クランプ安全反転装置２００の部分を拡大した図である。なお、図中の各動作間に描かれた矢印は図５の場合と同じく各反転動作の順序を示している。また、当該クランプ安全反転装置２００は実施例１に示すクランプ安全反転装置２００である。図６（Ａ）は実施例２の反転投入機の通常の反転動作におけるクランプ安全反転装置２００を示す。図６（Ａ）アは、容器７をクランプ枠３に載置した状態（図中の（容器セット））を示し、容器固定ハンドル１が容器７の鍔部７２をクランプ枠３に挟持していない状態では、当該クランプ安全反転装置２００のストッパープレートＡ８がストッパープレートＢ９と干渉する位置にあることを示している。従って、図６（Ａ）アの状態では、作業者がクランプ枠３を傾動することができず、容器落下の危険性は極めて少ない。
【００４１】
図６（Ａ）イは、図６（Ａ）アで容器７をクランプ枠３に載置したのち、容器７をクランプ枠３に固定する動作、即ち容器固定ハンドル１の取手１０１を図６（Ａ）イ中の略右向き矢印の方向に回動して、容器固定ハンドル１のブロック１０２で容器７の鍔部７２をクランプ枠３に挟持する動作を示している。このとき、図６（Ａ）イに描かれている下向きの矢印が示すようにハンドルロックピンのロックピン１８が回動軸受２０の上面に凹設された溝部２１に落ちることで（図３（Ｂ）、図７（Ｃ）参照）、容器固定ハンドル１の回動が挟持の状態でロックされる。更に図６（Ａ）イは、挟持の状態になることにより前記クランプ安全反転装置２００の容器固定ハンドル１と同一の回動軸を有するストパープレートＡ８が図６（Ａ）イ中の略左向き矢印の方向に回動してストッパープレートＢ９と干渉しない位置になることを示している。このことにより、本実施例の反転投入機において、挟持の状態で、反転ハンドル４の操作によりクランプ枠３の傾動と容器７の反転を反転支持枠２との干渉がなく実施できる。
【００４２】
図６（Ａ）ウは、図６（Ａ）イの挟持の状態で反転ハンドル４を操作してクランプ枠３を傾動して、容器７を反転する動作における前記クランプ安全反転装置２００の部分を示す。図６（Ａ）ウは、前記クランプ安全反転装置２００においてストパープレートＡ８が、ストッパープレートＢ９に干渉されず、挟持の状態でクランプ枠３の傾動、容器７の反転が行えることを示している。更に、図６（Ａ）エは当該反転が完了した状態を示すが、容器７が反転したのちも、前記クランプ安全反転装置２００により挟持の状態が維持でき、容器７がクランプ枠３から外れ、落下するのを防止できる。
【００４３】
図６（Ｂ）は、非挟持の状態であって、本実施例の反転投入機での反転動作における前記クランプ安全反転装置２００の部分を示す。図６（Ｂ）アは、図６（Ａ）アと同じく容器７をクランプ枠３に載置した状態（図中の（容器セット））を示す。図６（Ｂ）イは、図６（Ｂ）アで容器７を載置したのち、容器固定ハンドル１による容器７のクランプ枠３への挟持の操作を忘れるなどにより挟持をしていない状態、即ち非挟持の状態が維持されていることを示す。
【００４４】
図６（Ｂ）ウは、前記クランプ安全反転装置２００において、容器固定ハンドル１が容器７の鍔部７２をクランプ枠３に挟持していない時には、ストッパープレートＡ８がストッパープレートＢ９に干渉されていることを示している。このため、クランプ枠３を傾動することができないので、容器の落下を未然に防ぐことができる。
【００４５】
〔容器固定ハンドルの可動域〕
図７は、本考案に係るクランプの安全反転装置を備えた実施例２に示す反転投入機における容器固定ハンドル１の可動域の説明する図である。
【００４６】
図７（Ａ）は、容器固定ハンドル１の非挟持の状態を示す。この状態では取手１０１の先端が容器７の胴部に当接し、干渉されて容器固定ハンドル１の取手１０１はこれ以上左方向（反時計回り、図７（Ａ）の上段の図中に描かれた矢印の方向）に回動できない。このとき、図７（Ａ）はストッパープレートＡ８がストッパープレートＢ９と略当接し、干渉されていることを示す。そのため、この状態ではクランプ枠３を傾動することができず、容器７を落下させることはない。この非挟持の状態で、当該容器固定ハンドル１（取手１０１）を反時計廻りに更に回動することができないので、図７（Ａ）において更にストッパープレートＡ８が反時計廻りに回動して、スットパープレートＢ９から外れる位置になることがない。
【００４７】
図７（Ｂ）は、図７（Ａ）の状態から取手１０１を時計廻りに回動させ、容器固定ハンドル１のブロック１０２を容器７の鍔部７２に接近させた状態においても、ストッパープレートＡ８はストッパープレートＢ９と略当接を維持していることを示している。
【００４８】
したがって、図７（Ａ）や図７（Ｂ）に示す非挟持の状態では、ストッパープレートＡ８は、常にストッパープレートＢ９の下側で干渉する位置になり、クランプ枠３を傾動することができず、容器７を落下させる危険性は極めて少ない。
【００４９】
図７（Ｃ）は、本考案に係るクランプ安全反転装置２００における容器固定ハンドル１の挟持の状態のとき、即ちブロック１０２が容器７の鍔部７２を挟持している状態を示している。図７（Ｂ）の非挟持の状態から、当該容器固定ハンドル１（取手１０１）を更に時計回り（図７（Ｃ）の上段の図中に描かれた矢印の方向）に回動させ、前記ブロック１０２が容器７の鍔７２を挟持し始めると、前記ストッパープレートＡ８が前記ストッパープレートＢ９の下側から外れ、干渉されなくなり、図７（Ｃ）の挟持の状態となる。この挟持の状態のときには、ハンドルロックピンのロックピン１８が回動軸受２０の上面に凹設された溝部２１に嵌合することで（図３（Ｂ）参照）、容器固定ハンドル１の回動が挟持の状態でロックされる。このため、図７（Ｃ）の状態から更に容器固定ハンドル１を時計回りに回動させることができないので（当該ブロック１０２の容器７の胴部による干渉もあるので）、ストッパープレートＡ８がストッパープレートＢ９に干渉されない位置で、非挟持の状態になることはない。
【００５０】
以上より、実施例１に示すクランプ安全反転装置２００において、容器固定ハンドル１（取手１０１）の非挟持の状態ときの可動域は図７（Ａ）に示される取手１０１の位置から図７（Ｂ）に示される取手１０１の位置までの範囲であり、この範囲においては、図７（Ａ）、図７（Ｂ）に示されるように常にストッパープレートＡ８がストッパープレートＢ９に干渉されて、クランプ枠３を傾動することができない。従って、容器７はクランプ枠３にほぼ水平に支持され、落下の虞は極めて少ない。また、容器固定ハンドル１（取手１０１）の挟持の状態ときの可動域は、図７（Ｂ）において、容器固定ハンドル１のブロック１０２が容器７の鍔部７２を挟持し始めるときの取手１０１の位置から、容器固定ハンドル１のブロック１０２が更に時計廻りに回動して容器７の鍔部７２を挟持の状態を維持し図７（Ｃ）に示される取手１０１の位置になるまでの範囲である。この範囲おいては、図７（Ｃ）に示されるように常にストッパープレートＡ８がストッパープレートＢ９に干渉されないので、クランプ枠３を反転ハンドル４により傾動することできる。このとき、ハンドルロックピンにより容器固定ハンドル１の回動もロックされて、挟持の状態を維持しているので、容器７はクランプ枠３に固定された状態を維持することができ、容器７の反転による容器の落下の虞もない。従って本考案に係るクランプ安全反転装置２００を備えた反転投入機では挟持の状態のときは勿論のこと、非挟持による容器７の落下事故を防止できる。
【００５１】
〔実施例３〕
図８は、実施例３のリフターを示す。図８（Ａ）は当該リフターの上面を示し、図８（Ｂ）は当該リフターの右側面を示している。当該リフターは本考案に係るクランプ安全反転装置２００（実施例１に示す）を備える反転投入機３０（実施例２に示す）を有する。
【００５２】
図８に示すように、前記リフターにおいて、本考案に係るクランプ安全反転装置２００を備える反転投入機３０は、スライドベース３４の前方に取り付けられ、リフター移動用の前輪３１と後輪３１を有するメインフレーム３２の後部に垂直に立設された門型のマストレール３３に沿って、昇降ユニット３５の駆動により昇降自在に移動する。作業者が反転投入機３０の容器固定ハンドル１の挟持の操作をすることを忘れるなどにより起きる非挟持の状態のときには、クランプ安全反転装置２００のストッパープレートＡ８がストッパープレートＢ９に干渉されて、クランプ枠３を傾動することができないので、クランプ枠３はほぼ水平に維持され、クランプ枠３に容器７を載置した状態では容器７はほぼ水平に支持されていて、且つ容器７の鍔部７２に開いた孔にはクランプ枠３に突設されている容器支持ピン６が挿入されているので、クランプ枠３の上で容器７が移動することを防止することができる。そのため非挟持の状態のときでも、容器支持ピン６があるので、容器７が落下することなく、容器７を昇降することができる。一方、挟持の状態のときにはクランプ安全反転装置２００のストッパープレートＡ８がストッパープレートＢ９に干渉されないので、容器７をクランプ枠３に挟持した状態で容器７の落下もなく反転することができる。従って本考案に係るリフターにおいて、当該リフターに搭載された本考案に係る反転投入機３０を上下に昇降させて、容器７を反転する操作を行っても容器が落下する危険性も極めて少なく、本リフターを使用して容器内容物の投入作業を安全に実施できる。
【産業上の利用可能性】
【００５３】
本考案に係るクランプ安全反転装置により、大型ボール等の容器を反転させて当該容器の内容物を他の充填機ホッパーに投入する作業において、作業者が容器固定ハンドルによる容器のクランプ枠への挟持の操作を忘れるなどで挟持をしていない状態ではクランプ枠を傾動し、容器を反転することができないので、容器がクランプ枠から落下することを防止できる。また、本考案に係るクランプ安全反転装置は従来の反転投入機で用いられるクランプ装置の簡易な改造で製造できる。従って、当該クランプ安全反転装置を備える反転投入機やこれを搭載したリフターは、食品、医薬品、化学品等の製造工場での原料等の安全なハンドリング作業の実現に利用できる。
【符号の説明】
【００５４】
１  容器固定ハンドル    
２  反転保持枠
３  クランプ枠
４  反転ハンドル  
５  ウォーム減速機
６  容器支持ピン
７  容器
８  ストッパープレートＡ
９  ストッパープレートＢ
１０  ハンドル用六角ボルト
１１  固定ハンドル用スプリング
１２  平ワッシャー
１３  キャッスルナット
１４  割ピン
１５  ハンドル用六角ボルト（長軸）
１６  ストッパープレートＡ用ボルト
１７  ロックピン用スプリング
１８  ロックピン
１９  ロックピンつまみ
２０  回動軸受
２１  溝部
３０  反転投入機  
３１  前輪、後輪
３２  メインフレーム
３３  マストレール
３４  スライドベース
３５  昇降ユニット
７１  フランジ
７２  鍔部
１００  クランプ装置
１０１  取手
１０２  ブロック
１０３  結合部
２００  クランプ安全反転装置
２０１（反転保持枠２の）支持腕
３０１（クランプ枠３の）腕部
【図１】
0003216072.tif 000003
【図２】
0003216072.tif 000004
【図３】
0003216072.tif 000005
【図４】
0003216072.tif 000006
【図５】
0003216072.tif 000007
【図６】
0003216072.tif 000008
【図７】
0003216072.tif 000009
【図８】
0003216072.tif 000010